(57)【特許請求の範囲】
【請求項１】
ログ記憶手段と、
プログラムの動作の履歴と、プログラムの移動の履歴とを前記ログ記憶手段に記憶させるログ制御手段と、
他の通信装置と通信を行う通信処理手段と、
記憶媒体の第１のパーティションに記憶され、暗号化された通信パラメータを含み、その通信パラメータを前記通信処理手段が参照できるように設定するプログラムを備えた通信パラメータ設定手段と、
前記通信パラメータ設定手段を動作させ、そのプログラムを前記記憶媒体の第２のパーティションに移動し、前記ログ記憶手段に記憶されたそのプログラムの動作の履歴と、そのプログラムの移動の履歴とを削除する初期設定制御手段とを有する
ことを特徴とする通信装置。
【請求項２】
ログ記憶手段と、
プログラムの動作の履歴と、プログラムの消去の履歴とを前記ログ記憶手段に記憶させるログ制御手段と、
他の通信装置と通信を行う通信処理手段と、
暗号化された通信パラメータを含み、その通信パラメータを前記通信処理手段が参照できるように設定するプログラムを備えた通信パラメータ設定手段と、
前記通信パラメータ設定手段を動作させ、そのプログラムを消去し、前記ログ記憶手段に記憶されたそのプログラムの動作の履歴と、そのプログラムの消去の履歴とを削除する初期設定制御手段とを有する
ことを特徴とする通信装置。
【請求項３】
前記初期設定制御手段は、装置の電源が投入されたことがあるか否かを記憶し、
その電源が投入されたことがないと記憶されている場合、前記通信パラメータ設定手段を動作させ、前記通信パラメータ設定手段を動作させた後、前記電源が投入されたことがあると記憶する
ことを特徴とする請求項１または請求項２に記載の通信装置。
【請求項４】
初期状態復旧制御手段を更に有し、
前記初期設定制御手段は、装置の電源が投入されたことがあるか否かを記憶し、
その電源が投入されたことがないと記憶されている場合、前記通信パラメータ設定手段を動作させ、前記通信パラメータ設定手段を動作させた後、前記電源が投入されたことがあると記憶し、
前記初期状態復旧制御手段は、前記初期設定制御手段によって前記第２のパーティションに移動されたプログラムを前記第１のパーティションに移動し、前記初期設定制御手段に前記電源が投入されたことがないと記憶させる
ことを特徴とする請求項１に記載の通信装置。
【発明の詳細な説明】
【技術分野】
【０００１】
本発明は、通信装置に係り、特に、通信のために必要な情報の設定処理に関する。
【背景技術】
【０００２】
通信装置は、通信のために所定の情報（以後、通信パラメータと称する。）が適切に設定される必要がある。通信パラメータの一例は、通信装置がアクセスするサーバ装置を識別する情報や、そのアクセスに必要な認証情報である。
【０００３】
サーバ装置を識別する情報の一例は、その装置がインターネットに接続されている場合、サーバ装置のＩＰアドレスである。また、ＵＲＬであり、ドメイン名である。一方、その装置が電話回線に接続されている場合、サーバ装置の電話番号である。認証情報の一例は、通信装置またはその装置の使用者を識別する情報と、暗証情報とである。
【０００４】
通信装置には、各種の装置が含まれる。例えば、パソコン装置は、通信パラメータを装置の使用者が自らの意思に基づいて設定することが容易な通信装置の一例である。即ち、装置の使用者は、アクセスするサーバ装置を適宜選択することができ、また、サーバ装置毎の認証情報を記憶して使い分けることができる。そして、装置の使用者は、アクセスしたサーバ装置を運用する事業者に対価を支払うことも多い。
【０００５】
一方、移動通信装置は、通信パラメータの全てが装置の使用者の意思に基づいて設定されるとは限らない通信装置の一例である。即ち、所定のサービスは、特定のサーバ装置から受けると限られていることがある。その特定のサーバ装置は、その移動通信装置が通信する移動通信網を運用する通信事業者によって運用される装置である。このサーバ装置を使用することは、使用者と、その通信事業者との間の移動通信の使用契約に含まれ、明示的に対価が支払われるものではないことがある。
【０００６】
更に、テレビや、冷蔵庫などの家電装置は、通信パラメータが装置の使用者の意思に基づかずに決定されることの多い通信装置の一例である。即ち、所定のサービスは、テレビ放送局や、その家電装置の製造事業者によって定められたサーバ装置のみへアクセスすることによって得られることが多い。
【０００７】
通信パラメータが装置の使用者の意思に基づかずに決定される場合、その通信パラメータは、秘匿されるべきである。なぜなら、上記通信事業者、テレビ放送局及び製造事業者は、契約を結んだ、または、販売した装置からのアクセスに対応すべくサーバ装置を運用しているのであり、それ以外の装置からの、漏洩された通信パラメータを用いたアクセスへの対応は、通信の無用な輻輳を招く恐れがあるからである。
【０００８】
そこで、通信パラメータが装置の使用者の意思に基づかずに決定される場合、それらの装置に通信パラメータを記憶させる際、通信パラメータを暗号化し、部外者の閲覧や、電子的なコピーによっても秘匿される処理が知られている（例えば、特許文献１参照。）。
【０００９】
一方、それらの装置に発生したトラブルによって、それらの記憶された通信パラメータが消去され、または、変化すると、装置は正常に通信を行うことができず、装置の使用者は、困惑する。そこで、例えば、装置が備える記憶媒体の一部、例えば、隠しパーティションにリカバリ用の情報を記憶し、所定の操作によって、使用される情報を復旧させる処理が知られている（例えば、特許文献２参照。）。
【特許文献１】特開２００５−３８４１１号公報（第１１頁、図１）
【特許文献２】特開２００３−２８０９１４号公報（第５頁、図２）
【発明の開示】
【発明が解決しようとする課題】
【００１０】
しかしながら、上述した特許文献１に開示されている方法では、暗号化されているとは言え、通信パラメータが装置に記憶される。そこで、暗号化された通信パラメータを取り出し、暗号解読によって、通信パラメータが漏洩される可能性が皆無とは言えない問題点があった。
【００１１】
また、上述した特許文献２に開示されている方法では、例えば、隠しパーティションに常にリカバリ用の情報が記憶されているので、隠されていない、通常の動作に用いられるパーティションに記憶された情報と、隠しパーティションに記憶された情報とを比較することによって、通信パラメータの所在が明らかとなる可能性が高まる恐れが皆無とは言えない問題点があった。
【００１２】
本発明は上記問題点を解決するためになされたもので、通信パラメータの秘匿をより確実に行う通信装置を提供することを目的とする。
【課題を解決するための手段】
【００１３】
上記目的を達成するために、本発明の通信装置は、ログ記憶手段と、プログラムの動作の履歴と、プログラムの移動の履歴とを前記ログ記憶手段に記憶させるログ制御手段と、記憶媒体の第１のパーティションに記憶され、暗号化された通信パラメータを含み、その通信パラメータを前記通信処理手段が参照できるように設定するプログラムを備えた通信パラメータ設定手段と、前記通信パラメータ設定手段を動作させ、そのプログラムを前記記憶媒体の第２のパーティションに移動し、前記ログ記憶手段に記憶されたそのプログラムの動作の履歴と、そのプログラムの移動の履歴とを削除する初期設定制御手段とを有することを特徴とする。
【発明の効果】
【００１４】
本発明によれば、通信パラメータの秘匿をより確実に行うことができる。
【発明を実施するための最良の形態】
【００１５】
以下に、本発明による通信装置の実施の形態を、図面を参照して説明する。図１は、本発明の実施形態に係る通信装置が適用された移動通信装置の構成を示すブロック図である。
【００１６】
この移動通信装置は、装置全体の制御を行う制御部１１と、動作ログ記憶部１１ａと、基地局（図示せず）との間で電波の送受信を行うアンテナ１２ａと、通信部１２ｂと、送受信部１３と、通話用のスピーカ１４ａと、通話用のマイクロフォン１４ｂと、通話部１４ｃと、表示部１５と、入力装置１６とを備える。動作ログ記憶部１１ａには、動作ログ１１ｂが記憶される。
【００１７】
更に、この移動通信装置は、初期設定制御部２１と、通信パラメータ設定部２２と、電子メール送受信部２３と、ブラウザ部２４と、不揮発性記憶部３１とを備える。不揮発性記憶部３１は、第１のパーティション３１ａと、第２のパーティション３１ｂと、非パーティション領域３１ｃとに分割される。
【００１８】
ここで、第１のパーティション３１ａは、装置の通常の動作に用いられる記憶部である。なお、動作ログ記憶部１１ａは、不揮発性記憶部３１と共通であっても良い。例えば、動作ログ１１ｂは、第１のパーティション３１ａに記憶されるとしても良い。
【００１９】
ここで、制御部１１と、初期設定制御部２１と、通信パラメータ設定部２２と、電子メール送受信部２３と、ブラウザ部２４とは、コンピュータと、そのコンピュータによって利用されるプログラムからなり、これらのプログラムは、装置の出荷時には、少なくとも第１のパーティション３１ａに記憶される。また、これらのプログラムは、動作時には、第１のパーティション３１ａに記憶される。
【００２０】
なお、上記コンピュータには、一次記憶装置が含まれる。なお、この一次記憶装置と、不揮発性記憶部３１とは、連続したアドレス空間によってアドレスが識別されても良い。また、この一次記憶装置の一部または全部が不揮発性記憶部３１の一部であっても良い。
【００２１】
制御部１１は、装置のタスクの管理を行うＯＳであり、初期設定制御部２１と、通信パラメータ設定部２２と、電子メール送受信部２３と、ブラウザ部２４とは、制御部１１の下で動作するタスクである。なお、制御部１１の少なくともＣＰＵのタスクへの割り当てを行う部分はタスクではないが、制御部１１の一部はタスクとして動作しても良い。
【００２２】
上記のように構成された、本発明の実施形態に係る情報処理装置の各部の動作を、図１を参照して説明する。
【００２３】
制御部１１は、入力装置１６の所定の電源投入の操作によって動作を開始し、装置のタスクの制御を含む、装置を制御する。即ち、タスクを起動し、また、タスクを消滅させる。ここで、電源投入の際、制御部１１は、まず初期設定制御部２１を動作させる。なお、入力装置１６の電源投入の操作を検出するため、制御部１１は、たとえ装置の電源が切断されている場合であっても、その操作の検出動作を続け、電源投入が検出された場合、上記の動作を行う。
【００２４】
また、制御部１１は、ファイル管理機能を有し、第１のパーティション３１ａと、第２のパーティション３１ｂとに記憶される情報を、複数の階層を構成するフォルダ（フォルダ階層がない、即ち、フォルダの概念がない場合を含む。）と、フォルダに属すファイルとして管理する。一方、非パーティション領域３１ｃは、アドレスの指定によって管理する。即ち、指定されたアドレスによって識別される位置に情報を記憶させ、また、記憶された情報を読み出す。
【００２５】
また、入力装置１６の所定の操作に基づいて、第１のパーティション３１ａに付された名称を表示部１５に表示させる。また、第１のパーティション３１ａに含まれるフォルダや、そのフォルダに属すフォルダ及びファイルの名称一覧を表示部１５に表示させる。この表示の中から所望のものを選択することによって、第１のパーティション３１ａに記憶された所望のファイルへの容易なアクセスを提供する。
【００２６】
制御部１１は、第２のパーティション３１ｂをいわゆる隠しパーティションとして管理し、第２のパーティション３１ｂに付された名称、及び第２のパーティション３１ｂに属するフォルダ及びファイルの名称一覧を表示部１５に表示させない。これらの名称を指定した要求によってのみ、ファイルへのアクセスを提供する。
【００２７】
制御部１１は、各処理部の動作開始及び／または動作終了の度に、その旨の履歴を動作ログ１１ｂとして追加記憶させる。また、不揮発性記憶部３１に記憶される情報の追加、変更、移動、及び消去の度に、その旨の履歴を動作ログ１１ｂとして追加記憶させる。
【００２８】
制御部１１は、入力装置１６の所定の操作がされている際に入力装置１６の所定の電源投入の操作がされることを契機として、または、装置の動作中に入力装置１６の所定の操作がされることを契機として、装置のプログラムを初期状態へ復旧する。
【００２９】
通信部１２ｂは、アンテナ１２ａが受信した高周波信号を送受信部１３へ出力し、また、送受信部１３から出力される高周波信号をアンテナ１２ａより送信する。
【００３０】
送受信部１３は、通信部１２ｂからの高周波信号を増幅、周波数変換及び復調し、それによって得られたディジタル音声信号を通話部１４ｃへ、制御信号を制御部１１へ、電子メール信号を電子メール送受信部２３へ、また、ウェブサイト信号をブラウザ部２４に送る。
【００３１】
更には、送受信部１３は、通話部１４ｃから出力されるディジタル音声信号、制御部１１から出力される制御信号、電子メール送受信部２３から出力される電子メール信号、及び、ブラウザ部２４から出力されるウェブサイト制御信号を変調、周波数変換及び増幅し、高周波信号を得て、それを通信部１２ｂに送る。
【００３２】
通話部１４ｃは、送受信部１３から出力されるディジタル音声信号をアナログ音声信号に変換し、それを増幅してスピーカ１４ａに送る。また、マイクロフォン１４ｂから出力されるアナログ音声信号を増幅し、それをディジタル音声信号に変換して送受信部１３に送信する。
【００３３】
表示部１５は、制御部１１に制御されることで、カーソルを含む文字・数字を含む画像データの表示動作を行い、表示されているデータは、入力装置１６からの入力操作や着信信号に応答して制御部１１からの指示を受けることで切換わる。
【００３４】
入力装置１６は、通信相手の電話番号などを指定し、また、トグル式の入力方式によってひらがな文字、アルファベット文字及び記号文字を入力するための数字キーと、カーソル移動キーやスクロールキーを含む複数の機能キーとを含むキーからなる。
【００３５】
そして、入力装置１６のキーが押下されると、そのキーの識別子が制御部１１に通知され、制御部１１の制御に基づいて、その識別子が通知された装置内の各部の処理により、表示部１５に文字として表示されたり、キーの押下及び解放に基づく制御が行われたりする。
【００３６】
初期設定制御部２１は、初期設定制御部２１内に装置の電源が投入されたことがあるか否かを示す電源投入済みフラッグを記憶する。この電源投入済みフラッグは、装置の出荷時には、未投入であると記憶される。そして、初期設定制御部２１は、装置の電源が投入された際、この電源投入済みフラッグとして未投入と記憶されている場合、通信パラメータ設定部２２を動作させ、電源投入済みフラッグとして投入済みと記憶させて、動作を終了する。また、装置の電源が投入された際、この電源投入済みフラッグとして投入済みと記憶されている場合、直ちに動作を終了する。
【００３７】
通信パラメータ設定部２２は、そのプログラム内に暗号化された通信パラメータを含む。そして、暗号化された通信パラメータを復号し、復号された通信パラメータを通信を行う処理部、即ち、電子メール送受信部２３及びブラウザ部２４に設定させる。または、不揮発性記憶部３１中で、電子メール送受信部２３及びブラウザ部２４のそれぞれが参照可能な位置に記憶させる。
【００３８】
電子メール送受信部２３は、電子メールの送信及び受信を行う通信処理部であり、電子メール送受信部２３の電子メール送信動作は、入力装置１６の所定のキー操作がされた際に起動され、入力装置１６の所定のキー操作によって作成された電子メールの標題と本文とを制御部１１及び送受信部１３を経由してメールサーバ装置（図示せず）へ送信して、動作を終了する。
【００３９】
この送信の際、電子メール送受信部２３は、通信パラメータを参照して、メールサーバ装置へアクセスする。ここで、メールサーバ装置は、電子メールを送受する装置であるが、その他の装置を含むことがある。例えば、メールサーバ装置のＩＰアドレスを得るためにアクセスされる装置である。
【００４０】
電子メール送受信部２３の電子メール受信動作は、送受信部１３によって電子メール着信信号が受信されると制御部１１によって起動され、メールサーバ装置へアクセスし、送受信部１３によって受信された電子メールを第１のパーティション３１ａに設けられたメールボックス（図示せず）に記憶して、動作を終了する。メールサーバ装置については、上述した通りである。また、電子メール送受信部２３は、メールボックスに記憶された電子メールの中で、入力装置１６の所定のキーが操作によって指定された電子メールを表示部１５に表示させる。
【００４１】
ブラウザ部２４は、ウェブサイトにアクセスする通信処理部であり、入力装置１６の所定のキーが操作された際に起動され、事前に入力装置１６の所定のキーが操作によって設定され、ブラウザ部２４内に記憶されたＵＲＬによって識別されるウェブページにアクセスする。また、入力装置１６の所定のキーが操作によって指定されサイトウェブページにアクセスする。そして、そのアクセスによって得られた文字・数字及び画像データを表示部１５に表示させる。
【００４２】
ウェブページへアクセスする際、ブラウザ部２４は、そのページを記憶するウェブ装置（図示せず）へのアクセスが必要である。ウェブ装置のＩＰアドレスは、通信パラメータを参照して、ウェブサーバ装置（図示せず）へアクセスすることによって得られる。また、上記ウェブページのコピーが上記ウェブ装置以外の装置（図示せず）にも記憶されている場合、コピーが記憶された装置のＩＰアドレスは、通信パラメータを参照して、ウェブサーバ装置へアクセスすることによって得られる。
【００４３】
以下、本実施形態に係る移動通信装置における通信パラメータの秘匿をより確実に行う処理を説明する。
【００４４】
第２のパーティション３１ｂには、装置の出荷時に、制御部１１と、初期設定制御部２１と、電子メール送受信部２３と、ブラウザ部２４とを構成するプログラムが記憶される。通信パラメータ設定部２２を構成するプログラムは、記憶されない。しかし、記憶されるとしても良い。
【００４５】
次に、初期設定制御部２１によって、通信パラメータ設定部２２の通信パラメータ設定が制御される動作を説明する。図２は、初期設定制御部２１が通信パラメータの設定を制御する動作のフローチャートを示す。初期設定制御部２１は、装置の電源投入時に制御部１１によって起動されて制御動作を開始する（ステップＳ２１ａ）。そして、初期設定制御部２１内に記憶された電源投入済みフラッグを参照して、初回の電源投入であるか、初回でない電源投入、即ち、２回目以降の電源投入であるかを判断する（ステップＳ２１ｂ）。
【００４６】
電源投入済みフラッグに投入済みと記憶されている場合、初期設定制御部２１は、初回でない電源投入であると判断して、制御動作を終了する（ステップＳ２１ｃ）。一方、電源投入済みフラッグに未投入と記憶されている場合、初回の電源投入であると判断して、通信パラメータ設定部２２を起動して、動作させ（ステップＳ２１ｄ）、通信パラメータ設定部２２のプログラムを第２のパーティション３１ｂに移動する（ステップＳ２１ｅ）。即ち、ステップＳ２１ｅの動作以降、通信パラメータ設定部２２のプログラムは、第１のパーティション３１ａに記憶されない。
【００４７】
次に、初期設定制御部２１は、ステップＳ２１ｄの動作によって動作ログ記憶部１１ａに追加記憶された通信パラメータ設定部２２が動作開始及び／または動作終了した旨の動作ログ１１ｂを削除する（ステップＳ２１ｆ）。更に、ステップＳ２１ｅの動作によって動作ログ記憶部１１ａに追加記憶された通信パラメータ設定部２２のプログラムが第２のパーティション３１ｂに移動された旨の動作ログ１１ｂを削除する（ステップＳ２１ｇ）。そして、電源投入済みフラッグに投入済みと記憶して（ステップＳ２１ｈ）、制御動作を終了する（ステップＳ２１ｃ）。
【００４８】
上記動作で、ステップＳ２１ｆの通信パラメータ設定部２２が動作開始及び／または動作終了した旨の動作ログ１１ｂを削除する動作は、ステップＳ２１ｄの通信パラメータ設定部２２の動作の後に行われる必要がある。また、ステップＳ２１ｇの通信パラメータ設定部２２のプログラムが移動された旨の動作ログ１１ｂを削除する動作は、ステップＳ２１ｅの通信パラメータ設定部２２のプログラムの移動動作の後に行われる必要がある。
【００４９】
しかしながら、この２つの要件を満たす限り、動作の順の変更があっても良い。即ち、ステップＳ２１ｅの通信パラメータ設定部２２のプログラムの移動動作と、ステップＳ２１ｆの通信パラメータ設定部２２が動作開始及び／または動作終了した旨の動作ログ１１ｂを削除する動作との順は、逆でも良い。
【００５０】
上記の初期設定制御部２１の制御動作により、装置が出荷後、初回の電源投入の直後に通信パラメータの設定が行われ、その後、暗号化された通信パラメータを含む通信パラメータ設定部２２のプログラムは、直ちに第２のパーティション３１ｂに移動される。かつ、この設定が通信パラメータ設定部２２のプログラムによって行われたことと、そのプログラムがいずれに移されたかの履歴は削除される。
【００５１】
そのため、この設定が如何に行われたか、さらに、そのプログラムが記憶された位置の記憶はない。そこで、たとえ出荷後、電源投入前の装置の不揮発性記憶部３１を解析するにしても、上記履歴を参照することはできないため、そのプログラムへのアクセスは容易ではなく、通信パラメータの秘匿をより確実に行うことができる。
【００５２】
また、初回の電源投入の前には、通信パラメータ設定部２２のプログラムは、第１のパーティション３１ａに記憶され、初回の電源投入の後には、第２のパーティション３１ｂに記憶される。このように、１ヶ所にのみ記憶されることと、記憶される位置が変更されることにより、そのプログラムへのアクセスは容易ではなく、通信パラメータの秘匿をより確実に行うことができる。
【００５３】
そもそも、装置の出荷前に通信パラメータの設定が行われず、装置が出荷後に、即ち、装置が装置の使用者の所有になった後に通信パラメータの設定が行われる。これによって、その装置に係る通信事業者と使用者との契約が結ばれた後に通信パラメータの設定がされる。言い換えると、契約前で、正当な使用者がいない装置からの通信パラメータを用いたサーバ装置へのアクセスが行われる恐れがない。
【００５４】
また、通信パラメータは、出荷前に記憶された暗号化された通信パラメータのみならず、上記契約に依存した情報によって決定される場合、装置の出荷前に通信パラメータの設定を行うことはできない。契約に依存した情報は、例えば、装置に係る電話番号や、装置に係る電子メールアドレスである。また、ブラウザ部２４のポータルサイトの位置、即ち、ブラウザ部２４が動作開始後、直ちにアクセスするウェブページを識別する情報である。
【００５５】
次に、制御部１１によって、装置のプログラムが初期状態へ復旧される動作、即ち、マスタリセットの動作を説明する。図３は、制御部１１が装置のプログラムの初期状態への復旧を制御する動作のフローチャートを示す。制御部１１は、入力装置１６の所定の操作がされている際に入力装置１６の所定の電源投入の操作がされることによって、または、装置の動作中に入力装置１６の所定の操作がされることによって、プログラムを初期状態へ復旧する制御動作を開始する（ステップＳ１１ａ）。
【００５６】
そして、制御部１１は、第２のパーティション３１ｂに記憶された、制御部１１と、初期設定制御部２１と、電子メール送受信部２３と、ブラウザ部２４とのそれぞれのプログラムを第１のパーティション３１ａにコピーして記憶させる（ステップＳ１１ｂ）。
【００５７】
ここで、電子メール送受信部２３と、ブラウザ部２４とが参照する通信パラメータが、電子メール送受信部２３と、ブラウザ部２４とのそれぞれ内部に記憶されるか否かに係らず、このステップＳ１１ｂの動作によって、装置の出荷時の情報、即ち、通信パラメータが設定されていない状態となる。また、初期設定制御部２１内に記憶される電源投入済みフラッグには、未投入と記憶される。更に、制御部１１のファイル管理機能に係る管理情報が初期化されるため、第１のパーティション３１ａに記憶されるフォルダ情報及びファイル情報は、装置の出荷時の情報に初期化される。
【００５８】
次に、制御部１１は、第２のパーティション３１ｂに記憶された、通信パラメータ設定部２２のプログラムを第１のパーティション３１ａに移動して記憶させる（ステップＳ１１ｃ）。そして、装置の電源を切断し（ステップＳ１１ｄ）、装置の電源を投入して（ステップＳ１１ｅ）、プログラムを初期状態へ復旧する制御動作を終了する（ステップＳ１１ｆ）。
【００５９】
ステップＳ１１ｃで、制御部１１は、通信パラメータ設定部２２のプログラムを第１のパーティション３１ａにコピーして記憶させても良い。なぜなら、ステップＳ１１eの動作を契機として、初期設定制御部２１による通信パラメータを設定させる動作が行われ、通信パラメータ設定部２２のプログラムは、第１のパーティション３１ａには記憶されなくなる。その結果、通信パラメータ設定部２２のプログラムが、第１のパーティション３１ａと、第２のパーティション３１ｂとの両方に記憶される時間は短時間であって、通信パラメータの漏洩に至る可能性は低いからである。
【００６０】
なお、ステップＳ１１ｃで、通信パラメータ設定部２２のプログラムが第２のパーティション３１ｂに記憶されていない場合、それは、図２を参照して説明した通信パラメータの設定が行われていないことを意味するので、そのプログラムは、第１のパーティション３１ａに記憶されている。そこで、制御部１１は、ステップＳ１１ｃの動作を行わない。
【００６１】
また、ステップＳ１１ｅの電源投入の動作により、図２を参照して説明した通信パラメータの設定動作が直ちに行われるが、これに限るものではない。ステップＳ１１ｅの電源投入の動作を省いても良い。この場合、次の電源投入が初回の電源投入であると判断され、通信パラメータの設定動作が行われる。
【００６２】
以上の説明では、通信パラメータ設定部２２のプログラムは、装置の出荷時及びプログラムの初期化が行われた時以外、即ち、通信パラメータの設定が終了した時に、第２のパーティション３１ｂに記憶されるとしたが、これに限るものではない。消去されるとしても良い。消去によって、そのプログラムの漏洩、ひいては、通信パラメータの漏洩の可能性を低くすることができることは明らかである。
【００６３】
また、第２のパーティション３１ｂに代えて、非パーティション領域３１ｃに記憶されるとしても良い。非パーティション領域３１ｃに記憶される場合、上記プログラムの参照にファイル管理機能を用いることができないので、所定のアドレスで識別される位置に記憶される。そのため、ファイル管理機能を用いて所在を知られ、ひいては、漏洩を招く可能性をより低くすることができる。
【００６４】
以上の説明では、通信パラメータを参照して通信する処理部は、電子メール送受信部２３と、ブラウザ部２４であるとしたが、これに限るものではない。如何なる１つ、または、複数の通信する処理部であっても良い。
【００６５】
以上の説明は、本発明を移動通信装置に適用した形態を例にとって行ったが、これに限るものではない。本発明は、あらゆる通信装置に適用することが当然に可能である。本発明は以上の構成に限定されるものではなく、種々の変形が可能である。
【図面の簡単な説明】
【００６６】
【図１】本発明の実施形態に係る移動通信装置の構成を示すブロック図。
【図２】本発明の実施形態に係る初期設定制御部の初期設定制御動作のフローチャート。
【図３】本発明の実施形態に係る制御部のプログラム初期化制御動作のフローチャート。
【符号の説明】
【００６７】
１１  制御部
１１ａ  動作ログ記憶部
１１ｂ  動作ログ
１５  表示部
１６  入力装置
２１  初期設定制御部
２２  通信パラメータ設定部
２３  電子メール送受信部
２４  ブラウザ部
３１  不揮発性記憶部
３１ａ  第１のパーティション
３１ｂ  第２のパーティション
３１ｃ  非パーティション領域
【図１】
0004998195.tif 000002
【図２】
0004998195.tif 000003
【図３】
0004998195.tif 000004